(57)【特許請求の範囲】
【請求項１】
台紙本体を備える玩具花火固定用台紙と、前記台紙本体の表面側に固定された玩具花火と、を備える玩具花火固定構造であって、
前記台紙本体には、前記玩具花火の固定位置に応じて窓孔が形成されており、
前記台紙本体の裏面には、前記窓孔を覆うように帯状の粘着テープが接着されており、
前記台紙本体の表面側で前記窓孔に露出する前記粘着テープの接着面に前記玩具花火が接着されており、
前記粘着テープの長尺方向の端部には、前記台紙本体の裏面に接着されていない摘み部が設けられており、
前記摘み部を摘まんで前記粘着テープを前記台紙本体の裏面から剥がし取ることで、前記台紙本体の表面から前記玩具花火が離脱されることを特徴とする玩具花火固定構造。
【請求項２】
前記摘み部は、前記接着面を内側として重ね合わされた前記粘着テープの長尺方向の端部により形成されている請求項１記載の玩具花火固定構造。
【請求項３】
前記窓孔は、所定方向に沿って長尺状に形成されている請求項１又は２に記載の玩具花火固定構造。
【請求項４】
前記窓孔は、所定方向に沿って複数形成されており、
前記粘着テープは、複数の前記窓孔を覆うように配置されている請求項１乃至３のいずれか一項に記載の玩具花火固定構造。
【請求項５】
前記台紙本体の裏面及び前記粘着テープの長尺方向の端部のうちの少なくとも一方には、前記粘着テープの長尺方向の端部を表示する目印部が設けられている請求項１乃至４のいずれか一項に記載の玩具花火固定構造。
【請求項６】
台紙本体を備える玩具花火固定用台紙と、前記台紙本体の表面側に固定された玩具花火と、を備える玩具花火固定構造の使用方法であって、
前記台紙本体には、前記玩具花火の固定位置に応じて窓孔が形成されており、
前記台紙本体の裏面には、前記窓孔を覆うように帯状の粘着テープが接着されており、
前記台紙本体の表面側で前記窓孔に露出する前記粘着テープの接着面に前記玩具花火が接着されており、
前記粘着テープの長尺方向の端部には、前記台紙本体の裏面に接着されていない摘み部が設けられており、
前記摘み部を摘まんで前記粘着テープを前記台紙本体の裏面から剥がし取ることで、前記台紙本体の表面から前記玩具花火が離脱されることを特徴とする玩具花火固定構造の使用方法。
【発明の詳細な説明】
【技術分野】
【０００１】
本発明は、玩具花火固定構造及びその使用方法に関し、さらに詳しくは、表面側に玩具花火が固定された玩具花火固定用台紙を備える玩具花火固定構造及びその使用方法に関する。
【背景技術】
【０００２】
従来、玩具花火は、種類毎に包装袋に収納し、又は特に包装袋に収納することなく、台紙上にセットしてからセロファンテープ等により固定し、これらを外装用袋に収納して展示、販売されるのが一般的である（例えば、特許文献１参照。）。また、玩具花火を内包する複数個の内袋を台紙に離脱可能に仮固定し、これらを外袋に収納してなる玩具用花火包装体も知られている（例えば、特許文献２参照。）。この玩具用花火包装体では、内袋の台紙上への仮固定が、内袋裏面と台紙表面との間に介在する粘着層によりなされている。また、台紙に仮固定された内袋に、粘着層により他の内袋が仮固定されていることも記載されている。
【先行技術文献】
【特許文献】
【０００３】
【特許文献１】実用新案登録第３１０２６５７号公報
【特許文献２】特開２００７−１７０７５５号公報
【発明の概要】
【発明が解決しようとする課題】
【０００４】
しかし、特許文献１に記載のように、台紙上に玩具花火をセットしてからセロファンテープにより固定する方法では、台紙上にセットされた玩具花火が位置ずれしないように、セロファンテープを注意深く貼り付ける必要がある。また、玩具花火を使用する際には、玩具花火を掴みつつセロファンテープを剥がし取る必要があり、セロファンテープの剥がし取りが煩雑となる。特に、セロファンテープを剥がし取る際に、玩具花火を強く掴むことで過度な負荷を与えてしまうと玩具花火が破損してしまう。また、特許文献２に記載の玩具用花火包装体であっても、台紙等に形成された粘着層から玩具花火を剥がし取る際に、玩具花火を強く掴んで過度な負荷を与えてしまうと玩具花火が破損してしまう。
【０００５】
本発明は、上記現状に鑑みてなされたものであり、台紙本体から玩具花火を容易に且つ破損させることなく安全に取り外すことができる玩具花火固定構造及びその使用方法を提供することを目的とする。
【課題を解決するための手段】
【０００６】
上記問題を解決するために、請求項１に記載の発明は、台紙本体を備える玩具花火固定用台紙と、前記台紙本体の表面側に固定された玩具花火と、を備える玩具花火固定構造であって、前記台紙本体には、前記玩具花火の固定位置に応じて窓孔が形成されており、前記台紙本体の裏面には、前記窓孔を覆うように帯状の粘着テープが接着されており、前記台紙本体の表面側で前記窓孔に露出する前記粘着テープの接着面に前記玩具花火が接着されており、前記粘着テープの長尺方向の端部には、前記台紙本体の裏面に接着されていない摘み部が設けられており、前記摘み部を摘まんで前記粘着テープを前記台紙本体の裏面から剥がし取ることで、前記台紙本体の表面から前記玩具花火が離脱されることを要旨とする。
請求項２に記載の発明は、請求項１記載の発明において、前記摘み部は、前記接着面を内側として重ね合わされた前記粘着テープの長尺方向の端部により形成されていることを要旨とする。
請求項３に記載の発明は、請求項１又は２に記載の発明において、前記窓孔は、所定方向に沿って長尺状に形成されていることを要旨とする。
請求項４に記載の発明は、請求項１乃至３のいずれか一項に記載の発明において、前記窓孔は、所定方向に沿って複数形成されており、前記粘着テープは、複数の前記窓孔を覆うように配置されていることを要旨とする。
請求項５に記載の発明は、請求項１乃至４のいずれか一項に記載の発明において、前記台紙本体の裏面及び前記粘着テープの長尺方向の端部のうちの少なくとも一方には、前記粘着テープの長尺方向の端部を表示する目印部が設けられていることを要旨とする。
上記問題を解決するために、請求項６に記載の発明は、台紙本体を備える玩具花火固定用台紙と、前記台紙本体の表面側に固定された玩具花火と、を備える玩具花火固定構造の使用方法であって、前記台紙本体には、前記玩具花火の固定位置に応じて窓孔が形成されており、前記台紙本体の裏面には、前記窓孔を覆うように帯状の粘着テープが接着されており、前記台紙本体の表面側で前記窓孔に露出する前記粘着テープの接着面に前記玩具花火が接着されており、前記粘着テープの長尺方向の端部には、前記台紙本体の裏面に接着されていない摘み部が設けられており、前記摘み部を摘まんで前記粘着テープを前記台紙本体の裏面から剥がし取ることで、前記台紙本体の表面から前記玩具花火が離脱されることを要旨とする。
なお、以下に参考形態を示す。
１．表面側に玩具花火が固定される台紙本体を備える玩具花火固定用台紙であって、前記台紙本体には、前記玩具花火の固定位置に応じて窓孔が形成されており、前記台紙本体の裏面には、前記窓孔を覆うように帯状の粘着テープが接着されており、前記台紙本体の表面側で前記窓孔に露出する前記粘着テープの接着面に前記玩具花火が接着可能とされていることを要旨とする。
２．上記１．において、前記粘着テープの長尺方向の端部には、前記台紙本体の裏面に接着されていない摘み部が設けられていることを要旨とする。
３．上記２．において、前記摘み部は、前記接着面を内側として重ね合わされた前記粘着テープの長尺方向の端部により形成されていることを要旨とする。
４．上記１．において、前記台紙本体には、前記台紙本体の裏面に接着された前記粘着テープの長尺方向の端部を囲むようにミシン目状の切り込み線が形成されており、前記台紙本体の前記切り込み線の内側部分は、前記台紙本体から切り離し可能な切り離し部とされていることを要旨とする。
５．上記１．において、前記台紙本体には、前記台紙本体の裏面に接着された前記粘着テープの全体を囲むようにミシン目状の切り込み線が形成されており、前記台紙本体の前記切り込み線の内側部分は、前記台紙本体から切り離し可能な切り離し部とされていることを要旨とする。
６．上記４．又は５．において、前記台紙本体の前記切り離し部に隣接する位置には、指を挿入可能な挿入孔が形成されていることを要旨とする。
７．上記１．乃至６．のいずれかにおいて、前記窓孔は、所定方向に沿って長尺状に形成されていることを要旨とする。
８．上記１．乃至７．のいずれかにおいて、前記窓孔は、所定方向に沿って複数形成されており、前記粘着テープは、複数の前記窓孔を覆うように配置されていることを要旨とする。
９．上記１．乃至８．のいずれかにおいて、前記台紙本体の裏面及び前記粘着テープの長尺方向の端部のうちの少なくとも一方には、前記粘着テープの長尺方向の端部を表示する目印部が設けられていることを要旨とする。
１０．表面側に玩具花火が固定される台紙本体を備える玩具花火固定用台紙であって、前記台紙本体の表面には、前記玩具花火の固定位置に応じて帯状の粘着テープが接着されており、前記粘着テープは、両方の表面が接着可能な両面テープであり、前記台紙本体の表面側に露出する前記粘着テープの接着面に前記玩具花火が接着可能とされており、前記台紙本体には、前記台紙本体の表面に接着された前記粘着テープの全体を囲むようにミシン目状の切り込み線が形成されており、前記台紙本体の前記切り込み線の内側部分は、前記台紙本体から切り離し可能な切り離し部とされていることを要旨とする。
１１．玩具花火固定構造であって、上記１．乃至１０．のいずれかの玩具花火固定用台紙と、前記玩具花火固定用台紙の前記台紙本体の表面側に固定された玩具花火と、を備えることを要旨とする。
【発明の効果】
【０００７】
本発明の玩具花火固定構造及びその使用方法によると、台紙本体には、玩具花火の固定位置に応じて窓孔が形成されており、台紙本体の裏面には、窓孔を覆うように帯状の粘着テープが接着されており、台紙本体の表面側で窓孔に露出する粘着テープの接着面に玩具花火が接着されている。これにより、台紙本体の表面側から粘着テープの接着面に玩具花火を接着することで、台紙本体に対して適正な固定位置に玩具花火を容易に固定できる。さらに、玩具花火を使用する際には、台紙本体の裏面から粘着テープを剥がし取ることで、台紙本体から玩具花火が離脱される。よって、従来のように玩具花火を強く掴みつつ粘着テープを剥がし取る必要がなく、台紙本体から玩具花火を容易に且つ破損させることなく安全に取り外すことができる。さらに、台紙本体の表面側に玩具花火を固定した状態では、玩具花火により粘着テープが隠されるため、これを写真撮影する場合であっても粘着テープの写り込みが抑制される。
また、前記粘着テープの長尺方向の端部に摘み部が設けられているので、摘み部により粘着テープの端部を容易に摘むことができる。
また、前記摘み部が、前記接着面を内側として重ね合わされた前記粘着テープの長尺方向の端部により形成されている場合は、摘み部ひいては玩具花火固定用台紙を容易且つ安価に形成できる。
また、前記窓孔が、所定方向に沿って長尺状に形成されている場合は、窓孔を介して露出する粘着テープの接着面に複数の玩具花火を並べて接着することで、台紙本体に多くの玩具花火を固定できる。
また、前記窓孔が、所定方向に沿って複数形成されており、前記粘着テープが、複数の前記窓孔を覆うように配置されている場合は、各窓孔を介して露出する粘着テープの接着面に玩具花火を接着することで、台紙本体に多くの玩具花火を固定できる。また、窓孔の開口面積を必要最小減として台紙本体の強度の低下を抑制できる。さらに、各窓孔を目印とすることで、玩具花火を適正な固定位置に更に容易に固定できる。
さらに、前記台紙本体の裏面及び前記粘着テープの長尺方向の端部のうちの少なくとも一方に、前記粘着テープの長尺方向の端部を表示する目印部が設けられている場合は、目印部により粘着テープの端部の位置を容易に把握できる。
なお、参考形態の玩具花火固定用台紙によると、台紙本体には、玩具花火の固定位置に応じて窓孔が形成されており、台紙本体の裏面には、窓孔を覆うように帯状の粘着テープが接着されており、台紙本体の表面側で窓孔に露出する粘着テープの接着面に玩具花火が接着可能とされている。これにより、台紙本体の表面側から粘着テープの接着面に玩具花火を接着することで、台紙本体に対して適正な固定位置に玩具花火を容易に固定できる。さらに、玩具花火を使用する際には、台紙本体の裏面から粘着テープを剥がし取るか、又は台紙本体の裏面側から粘着テープの接着された台紙本体の一部を切り離すことで、玩具花火の裏面から粘着テープが剥がし取られ、台紙本体から玩具花火が離脱される。よって、従来のように玩具花火を強く掴みつつ粘着テープを剥がし取る必要がなく、台紙本体から玩具花火を容易に且つ破損させることなく安全に取り外すことができる。さらに、台紙本体の表面側に玩具花火を固定した状態では、玩具花火により粘着テープが隠されるため、これを写真撮影する場合であっても粘着テープの写り込みが抑制される。
また、前記粘着テープの長尺方向の端部に摘み部が設けられている場合は、摘み部により粘着テープの端部を容易に摘むことができる。
また、前記摘み部が、前記接着面を内側として重ね合わされた前記粘着テープの長尺方向の端部により形成されている場合は、摘み部ひいては玩具花火固定用台紙を容易且つ安価に形成できる。
また、前記台紙本体に、前記台紙本体の裏面に接着された前記粘着テープの長尺方向の端部を囲むようにミシン目状の切り込み線が形成されており、前記台紙本体の前記切り込み線の内側部分が、前記台紙本体から切り離し可能な切り離し部とされている場合は、台紙本体の裏面側から粘着テープの端部が接着された切り離し部を摘んで切り離すことで、玩具花火の裏面から粘着テープを更に容易に剥がし取ることができる。
また、前記台紙本体に、前記台紙本体の裏面に接着された前記粘着テープの全体を囲むようにミシン目状の切り込み線が形成されており、前記台紙本体の前記切り込み線の内側部分が、前記台紙本体から切り離し可能な切り離し部とされている場合は、台紙本体の裏面側か粘着テープの全体が接着された切り離し部を摘んで切り離すことで、玩具花火の裏面から粘着テープを更に容易に剥がし取ることができる。
また、前記台紙本体の前記切り離し部に隣接する位置に、指を挿入可能な挿入孔が形成されている場合は、挿入孔に指を挿入することで切り離し部を容易に摘むことができる。
また、前記窓孔が、所定方向に沿って長尺状に形成されている場合は、窓孔を介して露出する粘着テープの接着面に複数の玩具花火を並べて接着することで、台紙本体に多くの玩具花火を固定できる。
また、前記窓孔が、所定方向に沿って複数形成されており、前記粘着テープが、複数の前記窓孔を覆うように配置されている場合は、各窓孔を介して露出する粘着テープの接着面に玩具花火を接着することで、台紙本体に多くの玩具花火を固定できる。また、窓孔の開口面積を必要最小減として台紙本体の強度の低下を抑制できる。さらに、各窓孔を目印とすることで、玩具花火を適正な固定位置に更に容易に固定できる。
さらに、前記台紙本体の裏面及び前記粘着テープの長尺方向の端部のうちの少なくとも一方に、前記粘着テープの長尺方向の端部を表示する目印部が設けられている場合は、目印部により粘着テープの端部の位置を容易に把握できる。
他の参考形態の玩具花火固定用台紙によると、台紙本体の表面には、玩具花火の固定位置に応じて帯状の粘着テープが接着されており、粘着テープは、両方の表面が接着可能な両面テープであり、台紙本体の表面側に露出する粘着テープの接着面に玩具花火が接着可能とされており、台紙本体には、台紙本体の表面に接着された粘着テープの全体を囲むようにミシン目状の切り込み線が形成されており、台紙本体の切り込み線の内側部分は、台紙本体から切り離し可能な切り離し部とされている。これにより、台紙本体の表面側から粘着テープの接着面に玩具花火を接着することで、台紙本体に対して適正な固定位置に玩具花火を容易に固定できる。さらに、玩具花火を使用する際には、台紙本体の裏面側から粘着テープの全体が接着された切り離し部を摘んで切り離すことで、玩具花火の裏面から粘着テープが剥がし取られ、台紙本体から玩具花火が離脱される。よって、従来のように玩具花火を強く掴みつつ粘着テープを剥がし取る必要がなく、台紙本体から玩具花火を容易に且つ破損させることなく安全に取り外すことができる。さらに、台紙本体の表面側に玩具花火を固定した状態では、玩具花火により粘着テープが隠されるため、これを写真撮影する場合であっても粘着テープの写り込みが抑制される。
参考形態の玩具花火固定構造によると、上述の玩具花火固定用台紙と、玩具花火固定用台紙の台紙本体の表面側に固定された玩具花火と、を備える。これにより、台紙本体に対して適正な固定位置に玩具花火を容易に固定できる。さらに、台紙本体から玩具花火を容易に且つ破損させることなく安全に取り外すことができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】参考例１に係る玩具花火固定構造を説明するための説明図であり、（ａ）は表面図を示し、（ｂ）は裏面図を示す。
【図２】参考例１に係る玩具花火固定用台紙を説明するための説明図であり、（ａ）は表面図を示し、（ｂ）は裏面図を示す。
【図３】図２（ｂ）の要部拡大図である。
【図４】図３のａ−ａ線断面図である。
【図５】上記玩具花火固定用台紙に玩具花火を固定する作用を説明するための説明図であり、（ａ）は粘着テープを接着する前の台紙本体の裏面図を示し、（ｂ）は台紙本体の裏面に粘着テープを接着した状態を示し、（ｃ）は台紙本体の表面側に玩具花火を固定している途中の状態を示す。
【図６】上記玩具花火固定用台紙から玩具花火を取り外す作用を説明するための説明図であり、（ａ）は粘着テープを剥がす前の玩具花火固定構造の断面図を示し、（ｂ）は台紙本体の裏面から粘着テープを剥がし始めた状態を示し、（ｃ）は台紙本体から玩具花火が取り外された状態を示す。
【図７】実施例（参考例１の変形例）に係る玩具花火固定用台紙を説明するための説明図であり、（ａ）は粘着テープの端部を重ね合わせてなる摘み部を示し、（ｂ）は粘着テープの端部に取付片を接着してなる摘み部を示す。
【図８】参考例２に係る玩具花火固定構造を説明するための説明図であり、（ａ）は表面図を示し、（ｂ）は裏面図を示す。
【図９】参考例２に係る玩具花火固定用台紙を説明するための説明図であり、（ａ）は表面図を示し、（ｂ）は裏面図を示す。
【図１０】図９（ｂ）の要部拡大図である。
【図１１】図１０のａ−ａ線断面図である。
【図１２】上記玩具花火固定用台紙に玩具花火を固定する作用を説明するための説明図であり、（ａ）は粘着テープを接着する前の台紙本体の裏面図を示し、（ｂ）は台紙本体の裏面に粘着テープを接着した状態を示し、（ｃ）は台紙本体の表面側に玩具花火を固定している途中の状態を示す。
【図１３】上記玩具花火固定用台紙から玩具花火を取り外す作用を説明するための説明図であり、（ａ）は切り離し部を切り離す前の玩具花火固定構造の断面図を示し、（ｂ）は切り離し部を摘んで台紙本体の裏面から切り離し始めた状態を示し、（ｃ）は台紙本体から玩具花火が取り外された状態を示す。
【図１４】参考例２の変形例に係る玩具花火固定用台紙を説明するための説明図である。
【図１５】図１４のａ−ａ線断面図である。
【図１６】参考例３に係る玩具花火固定構造を説明するための説明図であり、（ａ）は表面図を示し、（ｂ）は裏面図を示す。
【図１７】参考例３に係る玩具花火固定用台紙を説明するための説明図であり、（ａ）は表面図を示し、（ｂ）は裏面図を示す。
【図１８】図１７（ｂ）の要部拡大図である。
【図１９】図１８のａ−ａ線断面図である。
【図２０】上記玩具花火固定用台紙に玩具花火を固定する作用を説明するための説明図であり、（ａ）は粘着テープを接着する前の台紙本体の裏面図を示し、（ｂ）は台紙本体の裏面に粘着テープを接着した状態を示し、（ｃ）は台紙本体の表面側に玩具花火を固定している途中の状態を示す。
【図２１】上記玩具花火固定用台紙から玩具花火を取り外す作用を説明するための説明図であり、（ａ）は切り離し部を切り離す前の玩具花火固定構造の断面図を示し、（ｂ）は切り離し部を摘んで台紙本体の裏面側から切り離し始めた状態を示し、（ｃ）は台紙本体から玩具花火が取り外された状態を示す。
【図２２】参考例４に係る玩具花火固定構造を説明するための説明図であり、（ａ）は表面図を示し、（ｂ）は裏面図を示す。
【図２３】参考例４に係る玩具花火固定用台紙を説明するための説明図であり、（ａ）は表面図を示し、（ｂ）は裏面図を示す。
【図２４】図２３（ｂ）の要部拡大図である。
【図２５】図２４のａ−ａ線断面図である。
【図２６】上記玩具花火固定用台紙に玩具花火を固定する作用を説明するための説明図であり、（ａ）粘着テープを接着する前の台紙本体の表面図を示し、（ｂ）は台紙本体の表面に粘着テープを接着した状態を示し、（ｃ）は台紙本体の表面側に玩具花火を固定している途中の状態を示す。
【図２７】上記玩具花火固定用台紙から玩具花火を取り外す作用を説明するための説明図であり、（ａ）は切り離し部を切り離す前の玩具花火固定構造の断面図を示し、（ｂ）は切り離し部を摘んで台紙本体の裏面側から切り離し始めた状態を示し、（ｃ）は台紙本体から玩具花火が取り外された状態を示す。
【図２８】他の形態に係る玩具花火固定構造を説明するための説明図であり、（ａ）は表面図を示し、（ｂ）は裏面図を示す。
【図２９】更に他の形態に係る玩具花火固定構造を説明するための説明図であり、（ａ）は表面図を示し、（ｂ）は裏面図を示す。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
＜玩具花火固定用台紙＞
本実施形態に係る玩具花火固定用台紙は、表面（３ａ）側に玩具花火（４）が固定される台紙本体（３）を備える玩具花火固定用台紙（２Ａ〜２Ｃ）であって、台紙本体には、玩具花火の固定位置に応じて窓孔（１１）が形成されており、台紙本体の裏面（３ｂ）には、窓孔を覆うように帯状の粘着テープ（１３）が接着されている（例えば、図２、図９及び図１７等参照）。そして、台紙本体（３）の表面（３ａ）側で窓孔（１１）に露出する粘着テープ（１３）の接着面（１４）に玩具花火（４）が接着可能とされている（例えば、図５、図１２、図２０等参照）。なお、上記粘着テープは、通常、一方の表面のみが接着可能な片面テープである。
【００１１】
本実施形態に係る玩具花火固定用台紙としては、例えば、上記粘着テープ（１３）の長尺方向の端部（１３ａ）には、台紙本体（３）の裏面（３ｂ）に接着されていない摘み部（１７、１８）が設けられている形態（例えば、図７等参照）を挙げることができる。この摘み部（１７）は、例えば、接着面（１４）を内側として重ね合わされた粘着テープ（１３）の長尺方向の端部（１３ａ）により形成されていることができる（例えば、図７（ａ）参照）。
【００１２】
本実施形態に係る玩具花火固定用台紙としては、例えば、上記台紙本体（３）には、台紙本体の裏面（３ｂ）に接着された粘着テープ（１３）の長尺方向の端部（１３ａ）を囲むようにミシン目状の切り込み線（２１）が形成されており、台紙本体の切り込み線の内側部分は、台紙本体から切り離し可能な切り離し部（２２）とされている形態（例えば、図９等参照）を挙げることができる。この場合、例えば、上記台紙本体（３）の切り離し部２２）に隣接する位置には、指を挿入可能な挿入孔（２３）が形成されていることができる（例えば、図１４及び図１５等参照）。
【００１３】
本実施形態に係る玩具花火固定用台紙としては、例えば、上記台紙本体（３）には、台紙本体の裏面（３ｂ）に接着された粘着テープ（１３）の全体を囲むようにミシン目状の切り込み線（２６）が形成されており、台紙本体の切り込み線の内側部分は、台紙本体から切り離し可能な切り離し部（２７）とされている形態（例えば、図１７等参照）を挙げることができる。この場合、例えば、上記台紙本体（３）の切り離し部（２７）に隣接する位置には、指を挿入可能な挿入孔（２８）が形成されていることができる（例えば、図１８及び図１９等参照）。
【００１４】
本実施形態に係る玩具花火固定用台紙としては、例えば、上記台紙本体（３）の裏面（３ｂ）及び粘着テープ（１３）の長尺方向の端部（１３ａ）のうちの少なくとも一方には、粘着テープの長尺方向の端部を表示する目印部（１５、１６）が設けられている形態（例えば、図２、図９及び図１７等参照）を挙げることができる。
【００１５】
＜他の玩具花火固定用台紙＞
本実施形態に係る他の玩具花火固定用台紙は、表面（３ａ）側に玩具花火（４）が固定される台紙本体（３）を備える玩具花火固定用台紙（２Ｄ）であって、台紙本体の表面には、玩具花火の固定位置に応じて帯状の粘着テープ（３１）が接着されており、粘着テープは、両方の表面が接着可能な両面テープであり、台紙本体（３）の表面（３ａ）側に露出する粘着テープ（３１）の接着面（３２）に玩具花火（４）が接着可能とされている（例えば、図２３等参照）。そして、台紙本体には、台紙本体の表面に接着された粘着テープの全体を囲むようにミシン目状の切り込み線（３３）が形成されており、台紙本体の切り込み線の内側部分は、台紙本体から切り離し可能な切り離し部（３４）とされている。
【００１６】
本実施形態に係る他の玩具花火固定用台紙としては、例えば、上記台紙本体（３）の切り離し部（３４）に隣接する位置には、指を挿入可能な挿入孔（３５）が形成されている形態（例えば、図２４及び図２５等参照）を挙げることができる。さらに、本実施形態に係る他の玩具花火固定用台紙としては、例えば、上記台紙本体（３）の裏面（３ｂ）には、粘着テープ（３１）の長尺方向の端部（３１ａ）を表示する目印部（１５）が設けられている形態（例えば、図２３等参照）を挙げることができる。
【００１７】
＜玩具花火固定構造＞
本実施形態に係る玩具花火固定構造（１Ａ〜１Ｄ）は、上述の玩具花火固定用台紙（２Ａ〜２Ｄ）と、玩具花火固定用台紙の台紙本体（３）の表面側に固定された玩具花火（４）と、を備える（例えば、図１、図８、図１６及び図２２等参照）。
【００１８】
＜玩具花火固定構造の製造方法＞
本実施形態に係る玩具花火固定構造の製造方法は、上述の実施形態に係る玩具花火固定構造（１Ａ〜１Ｃ）の製造方法であって、窓孔（１１）が形成された台紙本体（３）を用意する工程と、台紙本体の裏面（３ｂ）に窓孔を覆うように粘着テープ（１３）を接着する工程と、台紙本体の表面（３ａ）側から窓孔（１１）に露出する粘着テープの接着面（１４）に玩具花火（４）を接着する工程と、を備える（例えば、図５、図１２及び図２０等参照）。
【００１９】
＜他の玩具花火固定構造の製造方法＞
本実施形態に係る他の玩具花火固定構造の製造方法は、上述の実施形態に係る他の玩具花火固定構造（１Ｄ）の製造方法であって、切り込み線（３３）及び切り離し部（３４）が形成された台紙本体（３）を用意する工程と、台紙本体の表面（３ａ）の切り離し部（３４）上に粘着テープ（３１）を接着する工程と、台紙本体の表面側から粘着テープの接着面（３２）に玩具花火（４）を接着する工程と、を備える（例えば、図２６等参照）。
【００２０】
なお、上記実施形態で記載した各構成の括弧内の符号は、後述する実施例に記載の具体的構成との対応関係を示すものである。
【実施例】
【００２１】
以下、図面を用いて実施例及び変形例により本発明を具体的に説明する。
【００２２】
＜参考例１＞
（１）玩具花火固定構造の構成
本参考例に係る玩具花火固定構造１Ａは、図１に示すように、台紙本体３を備える玩具花火固定用台紙２Ａと、台紙本体３の表面３ａ側に固定された玩具花火４と、を備えている。この台紙本体３は、板紙製であり、縦幅が横幅より長尺となる略矩形状に形成されている。また、玩具花火４は、種類毎に包装袋６（又は包装箱）に収容された状態や結束帯７で束ねられた状態で台紙本体３に固定されている。そして、玩具花火４は、台紙本体３の横幅方向に沿って並列状に固定されている。また、上記台紙本体３の表面３ａ側には、包装袋６に収容されたロウソク９が固定されている。
【００２３】
なお、上記玩具花火固定構造１Ａは、通常、台紙本体３と平面形状が略同形状の外装袋（図示省略）に収納されるとともに、台紙本体３の上部中央側に形成された吊り下げ用開口部８がフック（図示省略）などに吊り下げられて、又は積み重ねられて、展示、販売される。
【００２４】
（２）玩具花火固定用台紙の構成
本参考例に係る玩具花火固定用台紙２Ａでは、図２〜図４に示すように、台紙本体３には、玩具花火４の固定位置に応じて窓孔１１が形成されている。この窓孔１１は、台紙本体３の縦幅中央部において横幅方向に沿って長尺状に形成されている。また、台紙本体３の裏面３ｂには、窓孔１１を覆うようにセロファンテープ等の帯状の粘着テープ１３が接着されている。そして、台紙本体３の表面３ａ側で窓孔１１には粘着テープ１３の接着面１４が露出しており、その接着面１４に玩具花火４が接着可能とされている。また、粘着テープ１３は、一方の表面のみが接着可能な片面テープである。また、粘着テープ１３は、台紙本体３の窓孔１１の全周側に亘って接着されている。
【００２５】
上記台紙本体３の裏面３ｂには、台紙本体３の裏面３ｂに接着された粘着テープ１３の長尺方向の端部１３ａを表示する目印部１５が設けられている。この目印部１５は、印刷、シールの貼着、描画等により台紙本体３の裏面３ａに形成されている。また、粘着テープ１３の長尺方向の端部１３ａには、粘着テープ１３の長尺方向の端部１３ａを表示する目印部１６が設けられている。この目印部１６は、印刷、シールの貼着、描画等により粘着テープ１３に形成されている。なお、上記台紙本体３の表面３ａ及び／又は裏面３ｂには、例えば、図柄、模様、遊技方法等の説明文などが施されていてもよい。
【００２６】
次に、上記構成の玩具花火固定構造１Ａにおいて、玩具花火固定用台紙２Ａに玩具花火４を固定する作用について説明する。先ず、窓孔１１が形成された台紙本体３を用意する（図５（ａ）参照）。次に、台紙本体３の裏面３ｂに窓孔１１を覆うように粘着テープ１３を接着する（図５（ｂ）参照）。次いで、台紙本体３の表面３ａ側で窓孔１１に露出した粘着テープ１３の接着面１４に玩具花火４を接着してゆく（図５（ｃ）参照）。その結果、台紙本体３の表面側に玩具花火４が固定された玩具花火固定構造１Ａ（図１参照）が得られる。なお、上記玩具花火４は、台紙本体３の窓孔１１の幅方向の両側に渡って配置される。
【００２７】
次に、上記構成の玩具花火固定構造１Ａにおいて、玩具花火固定用台紙２Ａから玩具花火４を取り外す作用について説明する。粘着テープ１３の端部１３ａを指先で摘んで台紙本体３の裏面３ｂ側から剥がし取る（図６（ａ）ｂ）参照）。その結果、台紙本体３の表面３ａ上の玩具花火４の裏面から粘着テープ１３が剥がし取られて、台紙本体３から玩具花火４が離脱される（図６（ｃ）参照）。
【００２８】
（３）参考例の効果
本参考例の玩具花火固定用台紙２Ａによると、台紙本体３には、玩具花火４の固定位置に応じて窓孔１１が形成されており、台紙本体３の裏面３ｂには、窓孔１１を覆うように帯状の粘着テープ１３が接着されており、台紙本体３の表面３ａ側で窓孔１１に露出する粘着テープ１３の接着面１４に玩具花火４が接着可能とされている。これにより、台紙本体３の表面３ａ側から粘着テープ１３の接着面１４に玩具花火４を接着することで、台紙本体３に対して適正な固定位置に玩具花火４を容易に固定できる。さらに、玩具花火４を使用する際には、台紙本体３の裏面３ｂから粘着テープ１３を剥がし取ることで、玩具花火４の裏面から粘着テープ１３が剥がし取られ、台紙本体３から玩具花火４が離脱される。よって、従来のように玩具花火を強く掴みつつ粘着テープを剥がし取る必要がなく、台紙本体３から玩具花火４を容易に且つ破損させることなく安全に取り外すことができる。さらに、台紙本体３の表面３ａ側に玩具花火４を固定した状態では、玩具花火４により粘着テープ１３が隠されるため、これを写真撮影する場合であっても粘着テープ１３の写り込みが抑制される。
【００２９】
また、本参考例では、窓孔１１は、所定方向に沿って長尺状に形成されている。これにより、窓孔１１を介して露出する粘着テープ１３の接着面１４に複数の玩具花火４を並べて接着することで、台紙本体３に多くの玩具花火４を固定できる。
【００３０】
さらに、本参考例では、台紙本体３の裏面３ｂ及び粘着テープ１３の長尺方向の端部１３ａには、粘着テープ１３の長尺方向の端部１３ａを表示する目印部１５、１６が設けられている。これにより、目印部１５、１６により粘着テープ１３の端部１３ａの位置を容易に把握できる。
【００３１】
＜実施例１（参考例１の変形例）＞
次に、実施例１に係る玩具花火固定用台紙２Ａ’について説明する。本実施例では、図７（ａ）に示すように、上記粘着テープ１３の長尺方向の端部１３ａには、台紙本体３の裏面３ｂに接着されていない摘み部１７が設けられている。この摘み部１７は、接着面１４を内側として重ね合わされた粘着テープ１３の長尺方向の端部１３ａにより形成されている。
【００３２】
本実施例の玩具花火固定用台紙２Ａ’によると、上記参考例１に係る玩具花火固定用台紙２Ａと略同様の作用・効果を奏することに加えて、粘着テープ１３の長尺方向の端部１３ａに摘み部１７が設けられているので、摘み部１７により粘着テープ１３の端部１３ａを容易に摘むことができる。さらに、本実施例では、摘み部１７は、接着面１４を内側として重ね合わされた粘着テープ１３の長尺方向の端部１３ａにより形成されている。これにより、摘み部１７ひいては玩具花火固定用台紙２Ａ’を容易且つ安価に形成できる。
【００３３】
＜実施例２（参考例１の他の変形例）＞
次に、実施例２に係る玩具花火固定用台紙２Ａ"について説明する。本実施例では、図７（ｂ）に示すように、上記粘着テープ１３の長尺方向の端部１３ａには、台紙本体３の裏面３ａに接着されていない摘み部１８が設けられている。この摘み部１８は、粘着テープ１３の長尺方向の端部１３ａとその端部１３ａの接着面１４に接着された取付片１９とにより形成されている。
【００３４】
本実施例の玩具花火固定用台紙２Ａ"によると、上記参考例１に係る玩具花火固定用台紙２Ａと略同様の作用・効果を奏することに加えて、粘着テープ１３の長尺方向の端部１３ａに摘み部１８が設けられているので、摘み部１８により粘着テープ１３の端部１３ａを容易に摘むことができる。さらに、本実施例では、摘み部１８は、粘着テープ１３の長尺方向の端部１３ａとその端部１３ａの接着面１４に接着された取付片１９とにより形成されている。これにより、摘み部１８ひいては玩具花火固定用台紙２Ａ"を容易且つ安価に形成できる。
【００３５】
＜参考例２＞
次に、参考例２に係る玩具花火固定構造１Ｂについて説明する。なお、本参考例２に係る玩具花火固定構造１Ｂにおいて、上記参考例１に係る玩具花火固定構造１Ａと略同じ構成部位には同じ符号を付けて詳説を省略する。
【００３６】
（１）玩具花火固定構造の構成
本参考例に係る玩具花火固定構造１Ｂは、図８に示すように、台紙本体３を備える玩具花火固定用台紙２Ｂと、台紙本体３の表面３ａ側に固定された玩具花火４と、を備えている。
【００３７】
（２）玩具花火固定用台紙の構成
本参考例に係る玩具花火固定用台紙２Ｂでは、図９〜図１１に示すように、台紙本体３には、玩具花火４の固定位置に応じて窓孔１１が形成されている。また、台紙本体３の裏面３ｂには、窓孔１１を覆うように帯状の粘着テープ１３が接着されている。そして、台紙本体３の表面３ａ側で窓孔１１には粘着テープ１３の接着面１４が露出しており、その接着面１４に玩具花火４が接着可能とされている。
【００３８】
上記台紙本体３には、図１０及び図１１に示すように、台紙本体３の裏面３ｂに接着された粘着テープ１３の長尺方向の端部１３ａを囲むようにミシン目状の切り込み線２１（「ジッパー」とも称される。）が形成されている。この切り込み線２１は、台紙本体３の厚さ方向に貫通している。また、切り込み線２１は、窓孔１１の一端に連なっている。そして、台紙本体３の切り込み線２１の内側部分は、台紙本体３から切り離し可能な切り離し部２２とされている。
【００３９】
上記台紙本体３の裏面３ｂには、台紙本体３の裏面３ｂに接着された粘着テープ１３の長尺方向の端部１３ａを表示する目印部１５が設けられている。また、粘着テープ１３の長尺方向の端部１３ａには、粘着テープ１３の長尺方向の端部１３ａを表示する目印部１６が設けられている。
【００４０】
次に、上記構成の玩具花火固定構造２Ｂにおいて、玩具花火固定用台紙２Ｂに玩具花火４を固定する作用について説明する。先ず、窓孔１１、切り込み線２１及び切り離し部２２が形成された台紙本体３を用意する（図１２（ａ）参照）。次に、台紙本体３の裏面３ｂに窓孔１１を覆うように粘着テープ１３を接着する（図１２（ｂ）参照）。このとき、粘着テープ１３の端部１３ａは、台紙本体３の切り離し部２２上に接着される。次いで、台紙本体３の表面３ａ側で窓孔１１を介して露出する粘着テープ１３の接着面１４に玩具花火４を接着してゆく（図１２（ｃ）参照）。その結果、台紙本体３の表面３ａ側に玩具花火４が固定された玩具花火固定構造１Ｂ（図８参照）が得られる。なお、上記玩具花火４は、台紙本体３の窓孔１１の幅方向の両側に渡って配置される。
【００４１】
次に、上記構成の玩具花火固定構造１Ｂにおいて、玩具花火固定用台紙２Ｂから玩具花火４を取り外す作用について説明する。切り離し部２２を指先で摘んで台紙本体３の裏面３ｂ側から切り離す（図１３（ａ）（ｂ）参照）。すると、切り離し部２２とともに切り離し部２２に接着された粘着テープ１３の端部１３ａが台紙本体３から切り離される。そして、切り離し部２２を更に引っ張ることで、台紙本体３の裏面３ｂから粘着テープ１３が引き剥がされる（図１３（ｃ）参照）。その結果、台紙本体３の表面上の玩具花火４の裏面から粘着テープ１３が剥がし取られて、台紙本体３から玩具花火４が離脱される。
【００４２】
（３）参考例の効果
本参考例の玩具花火固定用台紙２Ｂによると、上記参考例１に係る玩具花火固定用台紙２Ａと略同様の作用・効果を奏することに加えて、台紙本体３には、台紙本体３の裏面３ｂに接着された粘着テープ１３の長尺方向の端部１３ａを囲むようにミシン目状の切り込み線２１が形成されており、台紙本体３の切り込み線２１の内側部分は、台紙本体３から切り離し可能な切り離し部２２とされているので、台紙本体３の裏面３ｂ側から粘着テープ１３の端部１３ａが接着された切り離し部２２を摘んで切り離すことで、玩具花火４の裏面から粘着テープ１３を更に容易に剥がし取ることができる。
【００４３】
＜参考例２の変形例＞
次に、参考例２の変形例に係る玩具花火固定用台紙２Ｂ’について説明する。本変形例では、図１４及び図１５に示すように、台紙本体３の切り離し部２２に隣接する位置には、指を挿入可能な挿入孔２３が形成されている。この挿入孔２３は、切り込み線２１に連なっている。
【００４４】
本変形例の玩具花火固定用台紙２Ｂ’によると、上記参考例２に係る玩具花火固定用台紙２Ｂと略同様の作用・効果を奏することに加えて、台紙本体３の切り離し部２２に隣接する位置には、指を挿入可能な挿入孔２３が形成されているので、挿入孔２３に指を挿入することで切り離し部２２を容易に摘むことができる。
【００４５】
＜参考例３＞
次に、参考例３に係る玩具花火固定構造１Ｃについて説明する。なお、本参考例３に係る玩具花火固定構造１Ｃにおいて、上記参考例１に係る玩具花火固定構造１Ａと略同じ構成部位には同じ符号を付けて詳説を省略する。
【００４６】
（１）玩具花火固定構造の構成
本参考例に係る玩具花火固定構造１Ｃは、図１６に示すように、台紙本体２を備える玩具花火固定用台紙２Ｃと、台紙本体３の表面３ａ側に固定された玩具花火４と、を備えている。
【００４７】
（２）玩具花火固定用台紙の構成
本参考例に係る玩具花火固定用台紙２Ｃでは、図１７〜図１９に示すように、台紙本体３には、玩具花火４の固定位置に応じて窓孔１１が形成されている。また、台紙本体３の裏面３ｂには、窓孔１１を覆うように帯状の粘着テープ１３が接着されている。そして、台紙本体３の表面３ａ側で窓孔１１には粘着テープ１３の接着面１４が露出しており、その接着面１４に玩具花火が接着可能とされている。
【００４８】
上記台紙本体３には、台紙本体３の裏面３ｂに接着された粘着テープ１３の全体を囲むようにミシン目状の切り込み線２６（「ジッパー」とも称される。）が形成されている。この切り込み線２１は、台紙本体３の厚さ方向に貫通している。そして、台紙本体３の切り込み線２６の内側部分は、台紙本体３から切り離し可能な切り離し部２７とされている。また、台紙本体３の切り離し部２７の一端側に隣接する位置には、指を挿入可能な挿入孔２８が形成されている。
【００４９】
上記台紙本体３の裏面３ｂには、台紙本体３の裏面３ｂに接着された粘着テープ１３の長尺方向の端部１３ａを表示する目印部１５が設けられている。また、粘着テープ１３の長尺方向の端部１３ａには、粘着テープ１３の長尺方向の端部１３ａを表示する目印部１６が設けられている。
【００５０】
次に、上記構成の玩具花火固定構造１Ｃにおいて、玩具花火固定用台紙２Ｃに玩具花火４を固定する作用について説明する。先ず、窓孔１１、切り込み線２６及び切り離し部２７が形成された台紙本体３を用意する（図２０（ａ）参照）。次に、台紙本体３の裏面３ｂに窓孔１１を覆うように粘着テープ１３を接着する（図２０（ｂ）参照）。このとき、粘着テープ１３の全体は、台紙本体３の切り離し部２７上に接着される。次いで、台紙本体３の表面３ａ側に窓孔１１を介して露出する粘着テープ１３の接着面１４に玩具花火４を接着してゆく（図２０（ｃ）参照）。その結果、台紙本体３の表面側に玩具花火４が固定された玩具花火固定構造１Ｃ（図１６参照）が得られる。なお、上記玩具花火４は、台紙本体３の切り離し部２７の幅方向の両側に渡って配置される。
【００５１】
次に、上記構成の玩具花火固定構造１Ｃにおいて、玩具花火固定用台紙２Ｃから玩具花火４を取り外す作用について説明する。台紙本体３の裏面３ｂ側で挿入孔２８に指先を挿入して（図２１（ａ）参照）、切り離し部２７を指先で摘んで台紙本体３の裏面３ｂ側から切り離す（図２１（ｂ）参照）。すると、切り離し部２７とともに切り離し部２７に接着された粘着テープ１３が台紙本体３から切り離される（図２１（ｃ）参照）。その結果、台紙本体４の表面上の玩具花火４の裏面から粘着テープ１３が剥がし取られて、台紙本体３から玩具花火４が離脱される。
【００５２】
（３）参考例の効果
本参考例の玩具花火固定用台紙２Ｃによると、上記参考例１に係る玩具花火固定用台紙２Ａと略同様の作用・効果を奏することに加えて、台紙本体３には、台紙本体３の裏面３ｂに接着された粘着テープ１３の全体を囲むようにミシン目状の切り込み線２６が形成されており、台紙本体３の切り込み線２６の内側部分は、台紙本体３から切り離し可能な切り離し部２７とされているので、台紙本体３の裏面３ｂ側から粘着テープ１３の全体が接着された切り離し部２７を摘んで切り離すことで、玩具花火４の裏面から粘着テープ１３を更に容易に剥がし取ることができる。
【００５３】
さらに、本参考例では、台紙本体３の切り離し部３７に隣接する位置には、指を挿入可能な挿入孔３８が形成されている。これにより、挿入孔３８に指を挿入することで切り離し部３７を容易に摘むことができる。
【００５４】
＜参考例４＞
次に、参考例４に係る玩具花火固定構造１Ｄについて説明する。なお、本参考例４に係る玩具花火固定構造１Ｄにおいて、上記参考例１に係る玩具花火固定構造１Ａと略同じ構成部位には同じ符号を付けて詳説を省略する。
【００５５】
（１）玩具花火固定構造の構成
本参考例に係る玩具花火固定構造１Ｄは、図２２に示すように、台紙本体３を備える玩具花火固定用台紙２Ｄと、台紙本体３の表面３ａ側に固定された玩具花火４と、を備えている。
【００５６】
（２）玩具花火固定用台紙の構成
本参考例に係る玩具花火固定用台紙２Ｄでは、図２３〜図２５に示すように、台紙本体３の表面３ａには、玩具花火４の固定位置に応じてセロファンテープ等の帯状の粘着テープ３１が接着されている。この粘着テープ３１は、両方の表面が接着可能な両面テープである。よって、台紙本体３の表面３ａ側では粘着テープ３１の接着面３２が露出しており、その接着面３２に玩具花火４が接着可能とされている。
【００５７】
上記台紙本体３には、台紙本体３の裏面３ｂに接着された粘着テープ３１の全体を囲むようにミシン目状の切り込み線３３（「ジッパー」とも称される。）が形成されている。この切り込み線３３は、台紙本体３の厚さ方向に貫通している。そして、台紙本体３の切り込み線３３の内側部分は、台紙本体３から切り離し可能な切り離し部３４とされている。また、台紙本体３の切り離し部３４の一端側に隣接する位置には、指を挿入可能な挿入孔３５が形成されている。さらに、台紙本体３の裏面３ｂには、台紙本体３の裏面３ｂに接着された粘着テープ１３の長尺方向の端部１３ａを表示する目印部１５が設けられている。
【００５８】
次に、上記構成の玩具花火固定構造１Ｄにおいて、玩具花火固定用台紙２Ｄに玩具花火４を固定する作用について説明する。先ず、切り込み線３３及び切り離し部３４が形成された台紙本体３を用意する（図２６（ａ）参照）。次に、台紙本体３の表面３ａに粘着テープ３１を接着する（図２６（ｂ）参照）。このとき、粘着テープ３１の全体は、台紙本体３の切り離し部３４上に接着される。次いで、台紙本体３の表面３ａ側に露出する粘着テープ３１の接着面３２に玩具花火４を接着してゆく（図２６（ｃ）参照）。その結果、台紙本体３の表面３ａ側に玩具花火４が固定された玩具花火固定構造１Ｄ（図２２参照）が得られる。なお、上記玩具花火４は、台紙本体３の切り離し部３４の幅方向の両側に渡って配置される。
【００５９】
次に、上記構成の玩具花火固定構造１Ｄにおいて、玩具花火固定用台紙２Ｄから玩具花火４を取り外す作用について説明する。台紙本体３の裏面３ｂ側で挿入孔３５に指先を挿入して（図２７（ａ）参照）、切り離し部３４を指先で摘んで台紙本体３の裏面３ｂ側から切り離す（図２７（ｂ）参照）。すると、切り離し部３４とともに切り離し部３４に接着された粘着テープ３１が台紙本体から切り離される（図２７（ｃ）参照）。その結果、台紙本体３の表面上の玩具花火４の裏面から粘着テープ３１が剥がし取られて、台紙本体３から玩具花火４が離脱される。
【００６０】
（３）参考例の効果
本参考例の玩具花火固定用台紙２Ｄによると、台紙本体３の表面３ａには、玩具花火４の固定位置に応じて帯状の粘着テープ３１が接着されており、粘着テープ３１は、両方の表面が接着可能な両面テープであり、台紙本体３の表面３ａ側に露出する粘着テープ３１の接着面３２に玩具花火４が接着可能とされている。そして、台紙本体３には、台紙本体３の表面３ａに接着された粘着テープ３１の全体を囲むようにミシン目状の切り込み線３３が形成されており、台紙本体３の切り込み線３３の内側部分は、台紙本体３から切り離し可能な切り離し部３４とされている。これにより、台紙本体３の表面３ａ側から粘着テープ３１の接着面３２に玩具花火４を接着することで、台紙本体３に対して適正な固定位置に玩具花火４を容易に固定できる。さらに、玩具花火４を使用する際には、台紙本体３の裏面３ｂ側から粘着テープ３１の全体が接着された切り離し部３４を摘んで切り離すことで、玩具花火４の裏面から粘着テープ３１が剥がし取られ、台紙本体３から玩具花火４が離脱される。よって、従来のように玩具花火を強く掴みつつ粘着テープを剥がし取る必要がなく、台紙本体３から玩具花火４を容易に且つ破損させることなく安全に取り外すことができる。さらに、台紙本体３の表面３ａ側に玩具花火４を固定した状態では、玩具花火４により粘着テープ３１が隠されるため、これを写真撮影する場合であっても粘着テープ３１の写り込みが抑制される。
【００６１】
また、本参考例では、台紙本体３の切り離し部３４に隣接する位置には、指を挿入可能な挿入孔３５が形成されている。これにより、挿入孔３５に指を挿入することで切り離し部３４を容易に摘むことができる。
【００６２】
さらに、本参考例では、台紙本体３の裏面３ｂには、粘着テープ３１の長尺方向の端部３１ａを表示する目印部１５が設けられている。これにより、目印部１５により粘着テープ３１の端部３１ａの位置を容易に把握できる。
【００６３】
尚、本発明においては、上記実施例に限られず、目的、用途に応じて本発明の範囲内で種々変更した実施例とすることができる。すなわち、上記実施例１、２及び参考例１〜４において、玩具花火４の種類、個数、配置形態等は特に問わない。具体的に、上記実施例１、２及び参考例１〜４では、種類毎に玩具花火４を包装袋６に収容して台紙本体３に固定したり、玩具花火４を結束帯７で束ねて台紙本体３に固定したりする形態を例示したが、これに限定されず、例えば、特に包装袋６や結束帯７等を用いることなく玩具花火４を台紙本体３に直接的に固定するようにしてもよい。
【００６４】
さらに、上記実施例１、２及び参考例１〜４では、玩具花火４を１段状に並設して台紙本体３に固定するようにしたが、これに限定されず、例えば、図２９に示すように、玩具花火４を２以上の多段状（例えば、一部が重なる多段状）に並設して台紙本体３に固定するようにしてもよい。この場合、通常、実施例１、２及び参考例１〜３では、窓孔１１及び粘着テープ１３が多段状に配置され、実施例４では、切り離し部３４及び粘着テープ３１が多段状に配置される。
【００６５】
また、上記実施例１、２及び参考例１〜３において、窓孔１１の形状、大きさ、個数、配置場所等は特に問わない。具体的に、上記実施例１、２及び参考例１〜３では、所定方向（例えば、台紙本体３の横幅方向）に沿って長尺状に形成されている窓孔１１を例示したが、これに限定されず、例えば、図２８及び図２９に示すように、所定方向（例えば、台紙本体３の横幅方向）に沿って直列状に複数形成されている窓孔１１としてもよい。この場合、粘着テープ１３は、複数の窓孔１１を覆うように配置される。これにより、各窓孔１１を介して露出する粘着テープ１３の接着面１４に玩具花火４を接着することで、台紙本体３に多くの玩具花火４を固定できる。また、窓孔１１の開口面積を必要最小減として台紙本体３の強度の低下を抑制できる。さらに、各窓孔１１を目印とすることで、玩具花火４を適正な固定位置に更に容易に固定できる。
【００６６】
また、上記実施例１、２及び参考例１〜４において、台紙本体３の材質、形状、大きさ等は特に問わない。この台紙本体３の材料としては、例えば、板紙、段ボールシート、樹脂シート等を挙げることができる。さらに、上記実施例１、２及び参考例１〜４において、粘着テープ１３、３１の種類、大きさ等は特に問わない。この粘着テープ１３、３１としては、例えば、セロファンテープ、ガムテープ等を挙げることができる。
【００６７】
また、上記実施例１、２及び参考例１〜３では、粘着テープ１３で窓孔１１の全体を覆うようにしたが、これに限定されず、例えば、窓孔１１の一部を開放するように粘着テープ１３で窓孔１１を部分的に覆うようにしてもよい。特に、参考例１において、窓孔１１の長尺方向の端部を開放するように粘着テープ１３を配置すれば、その開放部に指先を挿入することで粘着テープ１３の端部１３ａを容易に摘むことができる。
【００６８】
さらに、上記実施例１では、粘着テープ１３の長尺方向の一端側のみに摘み部１７、１８を設けるようにしたが、これに限定されず、例えば、粘着テープ１３の長尺方向の両端側に摘み部１７、１８を設けるようにしてもよい。さらに、上記参考例２では、粘着テープ１３の長尺方向の一端側に切り離し部２２を設けるようにしたが、これに限定されず、例えば、粘着テープ１３の長尺方向の両端側に切り離し部２２を設けるようにしてもよい。これらにより、使用者の利き手に関わらず摘み部１７、１８や切り離し部２２を容易に摘むことができる。
【産業上の利用可能性】
【００６９】
本発明は、玩具花火固定用台紙に玩具花火を容易に且つ破損させることなく安全に取り外すことができる技術として広く利用される。
【符号の説明】
【００７０】
１Ａ〜１Ｄ；玩具花火固定構造、２Ａ〜２Ｄ；玩具花火固定用台紙、３；台紙本体、３ａ；表面、３ｂ；裏面、４；玩具花火、１１；窓孔、１３，３１；粘着テープ、１４，３２；接着面、１５，１６；目印部、１７，１８；摘み部、２１，２６，３３；切り込み線、２２，２７，３４；切り離し部、２３，２８，３５；挿入孔。
【図１】
0006562513.tif 000002
【図２】
0006562513.tif 000003
【図３】
0006562513.tif 000004
【図４】
0006562513.tif 000005
【図５】
0006562513.tif 000006
【図６】
0006562513.tif 000007
【図７】
0006562513.tif 000008
【図８】
0006562513.tif 000009
【図９】
0006562513.tif 000010
【図１０】
0006562513.tif 000011
【図１１】
0006562513.tif 000012
【図１２】
0006562513.tif 000013
【図１３】
0006562513.tif 000014
【図１４】
0006562513.tif 000015
【図１５】
0006562513.tif 000016
【図１６】
0006562513.tif 000017
【図１７】
0006562513.tif 000018
【図１８】
0006562513.tif 000019
【図１９】
0006562513.tif 000020
【図２０】
0006562513.tif 000021
【図２１】
0006562513.tif 000022
【図２２】
0006562513.tif 000023
【図２３】
0006562513.tif 000024
【図２４】
0006562513.tif 000025
【図２５】
0006562513.tif 000026
【図２６】
0006562513.tif 000027
【図２７】
0006562513.tif 000028
【図２８】
0006562513.tif 000029
【図２９】
0006562513.tif 000030